(57)【要約】【課題】記録媒体に記録された信号に対して、その記録方式によらず、再生等の処理を施すことができるようにする。【解決手段】装置は、本線信号とProxy信号との両形態でコンテンツが記録されている光ディスクが、本線信号の再生が可能な方式のディスクであるか否かを判定する（ステップＳ３の判定処理）。装置は、本線信号の再生が可能な方式のディスクであると判定した場合、本線信号を用いてコンテンツの再生を行う（ステップＳ４の通常光ディスク処理）。これに対して、装置は、本線信号の再生が不可能な方式のディスクであると判定した場合、その旨のワーニング表示を行った上で、Proxy信号を用いてコンテンツの再生を行う（ステップＳ５の簡易光ディスク処理）。本発明は、光ディスク記録再生装置等に適用可能である。【選択図】図８
2007235372.tif 000002
【特許請求の範囲】
【請求項１】
別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して処理を施す信号処理装置において、
提供された信号を利用して第１の処理または第２の処理を実行する処理実行手段と、
前記記録媒体に記録されている前記第１の信号の方式が、自装置で採用された方式であるか否かを判定する判定手段と、
前記判定手段により自装置で採用された方式であると判定された場合、前記第１の処理に利用される信号として前記第１の信号を、前記第２の処理に利用される信号として前記第２の信号を、それぞれ前記記録媒体から読み出して前記処理実行手段に提供することを制御し、前記判定手段により自装置で採用された方式ではないと判定された場合、前記第１の処理および前記第２の処理の何れにも利用される信号として前記第２の信号を、前記記録媒体から読み出して前記処理実行手段に提供することを制御する制御手段と
を備える信号処理装置。
【請求項２】
前記第１の信号と前記第２の信号との基になる前記所定の情報は、少なくとも映像情報を含み、前記所定の情報に対応するオリジナル信号が前記別の信号処理装置に与えられ、
装置毎で採用可能な複数の信号方式のうちの前記別の信号処理装置で採用された信号方式の前記オリジナル信号が、装置毎で採用可能な複数の変換方式のうちの前記別の信号処理装置で採用された変換方式により変換された結果得られる信号が、前記第１の信号として前記記録媒体に記録され、
装置に依存しない共通の信号方式の前記オリジナル信号が、装置に依存しない共通の変換方式により変換された結果得られる信号が、前記第２の信号として前記記録媒体に記録されている
請求項１に記載の信号処理装置。
【請求項３】
装置毎で採用可能な複数の前記信号方式は、Standard Definition Televisionの所定の規格に従ったSD方式と、High-Definition Televisionの所定の規格に従ったHD方式とを少なくとも含む
請求項２に記載の信号処理装置。
【請求項４】
装置毎で採用可能な複数の前記変換方式は、複数の圧縮方式を含む
請求項２に記載の信号処理装置。
【請求項５】
前記第２の信号は、前記第１の信号の代理として利用されるProxy信号であり、
Standard Definition Televisionの所定の規格に従ったSD方式と、High-Definition Televisionの所定の規格に従ったHD方式とのうちの何れか一方の方式が、前記Proxy信号の前記信号方式とされている
請求項２に記載の信号処理装置。
【請求項６】
前記第２の信号は、前記第１の信号の代理として利用されるProxy信号であり、
画サイズを規定サイズに縮小させる方式と、所定のひとつの圧縮方式とを組み合わせた方式が、前記Proxy信号の前記変換方式とされている
請求項２に記載の信号処理装置。
【請求項７】
前記処理実行手段により実行される前記第１の処理は、ユーザの第１の指示に基づく前記映像情報の再生処理であり、前記処理実行手段により実行される前記第２の処理は、ユーザの第２の指示に基づく前記映像情報の再生処理である
請求項２に記載の信号処理装置。
【請求項８】
映像情報を少なくとも含む情報を、自装置で採用されている前記信号方式の信号として入力し、自装置で採用されている前記変換方式で変換し、その結果得られる信号を前記第１の信号として記録する処理を実行する記録手段と、
前記判定手段により自装置で採用された方式であると判定された場合、前記記録手段の前記処理の実行を許可し、前記判定手段により自装置で採用された方式ではないと判定された場合、前記記録手段の前記処理の実行を禁止する記録制御手段と
をさらに備える請求項２に記載の信号処理装置。
【請求項９】
前記判定手段により自装置で採用された方式ではないと判定された場合、そのことをユーザに呈示する呈示手段を
さらに備える請求項１に記載の信号処理装置。
【請求項１０】
別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して、読み出した方の信号を利用して第１の処理または第２の処理を実行する信号処理装置の信号処理方法において、
前記記録媒体に記録されている前記第１の信号の方式が、前記信号処理装置自身で採用された方式であるか否かを判定し、
前記信号処理装置自身で採用された方式であると判定された場合、前記第１の処理を実行するときには前記第１の信号を利用し、前記第２の処理を実行するときには前記第２の信号を利用し、
前記信号処理装置自身で採用された方式ではないと判定された場合、前記第１の処理および前記第２の処理の何れを実行するときにも前記第２の信号を利用する
ステップを含む信号処理方法。
【請求項１１】
別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して、読み出した方の信号を利用して第１の処理または第２の処理を実行する信号処理装置を制御するコンピュータに実行させるプログラムであって、
前記記録媒体に記録されている前記第１の信号の方式が、前記信号処理装置自身で採用された方式であるか否かを判定し、
前記信号処理装置自身で採用された方式であると判定された場合、前記第１の処理を実行するときには前記第１の信号を利用し、前記第２の処理を実行するときには前記第２の信号を利用し、
前記信号処理装置自身で採用された方式ではないと判定された場合、前記第１の処理および前記第２の処理の何れを実行するときにも前記第２の信号を利用する
ステップを含むプログラム。
【発明の詳細な説明】
【技術分野】
【０００１】
本発明は、信号処理装置および方法並びにプログラムに関し、特に、記録媒体に記録された信号に対して、その記録方式によらず、再生処理等を施すことができるようにする信号処理装置および方法並びにプログラムに関する。
【背景技術】
【０００２】
従来、放送局等で利用される光ディスク記録再生装置（例えば特許文献1参照）では、撮像により得られたコンテンツのオリジナルの信号として、NTSC（National Television System Committee）等の標準テレビジョン放送（Standard Definition Television）の規格、即ち、近年登場してきた高精細度テレビジョン放送（High-Definition Television）の規格に対する従来の規格に従ったベースバンド信号（以下、SD信号と称する）を対象としていた。
【０００３】
さらに、近年、撮像により得られたコンテンツのオリジナルの信号として、上述した高精細度テレビジョン放送（High-Definition Television）の規格に従ったベースバンド信号（以下、HD信号と称する）を利用可能な光ディスク記録再生装置も登場してきた。
【０００４】
また、光ディスク記録再生装置は、コンテンツのオリジナルの信号であるSD信号またはHD信号を、所定の圧縮方式に従って圧縮符号化（デコード）し、その結果得られる圧縮符号化データを光ディスクに記録することで、コンテンツの記録処理を実行している。また、光ディスク記録再生装置は、光ディスクに記録されている圧縮符号化データを読み出して、上述した圧縮方式に対応する復号方式に従って伸張復号（エンコード）し、その結果得られるオリジナル信号を出力することで、コンテンツの再生処理を実行している。
【特許文献１】特開２００４−６２９５０号公報
【発明の開示】
【発明が解決しようとする課題】
【０００５】
しかしながら、従来、オリジナルの信号の信号方式（SD信号やHD信号）や、圧縮/復号方式といった各方式は、光ディスク記録再生装置の機種毎によってそれぞれ異なる。その結果、従来の光ディスク記録再生装置は、自機種とは別機種により光ディスクに記録されたコンテンツに対しては、再生処理等の処理を施すことができない場合があり、そのような場合には光ディスクを自動的にイジェクトしていた、という問題があった。
【０００６】
かかる問題を従来の手法で解決する場合には、各方式にそれぞれ対応した複数の光ディスク記録再生装置を用意するか、或いは、各方式のそれぞれに対応した再生処理等を行う複数の独立した回路を同時に１台の光ディスク記録再生装置に搭載させる必要があった。何れの場合でもコストが非常にかかるため実現には困難を伴う。さらに、後者の場合には、１台の回路規模や消費電力としては大きくなってしまうため、さらに実現が困難となってしてしまう。
【０００７】
また、かかる問題は、光ディスクに対してのみならず、記録媒体全体に対して発生する。また、記録対象もコンテンツ信号のみならず、各種信号が記録媒体に記録された場合も、その信号の方式が機種によって異なるようなときには、同様の問題が発生する。
【０００８】
本発明は、このような状況に鑑みてなされたものであり、記録媒体に記録された信号に対して、その記録方式によらず、再生処理等を施すことができるようにするものである。
【課題を解決するための手段】
【０００９】
本発明の一側面の信号処理装置は、別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して処理を施す信号処理装置であって、提供された信号を利用して第１の処理または第２の処理を実行する処理実行手段と、前記記録媒体に記録されている前記第１の信号の方式が、自装置で採用された方式であるか否かを判定する判定手段と、前記判定手段により自装置で採用された方式であると判定された場合、前記第１の処理に利用される信号として前記第１の信号を、前記第２の処理に利用される信号として前記第２の信号を、それぞれ前記記録媒体から読み出して前記処理実行手段に提供することを制御し、前記判定手段により自装置で採用された方式ではないと判定された場合、前記第１の処理および前記第２の処理の何れにも利用される信号として前記第２の信号を、前記記録媒体から読み出して前記処理実行手段に提供することを制御する制御手段とを備える。
【００１０】
前記第１の信号と前記第２の信号との基になる前記所定の情報は、少なくとも映像情報を含み、前記所定の情報に対応するオリジナル信号が前記別の信号処理装置に与えられ、装置毎で採用可能な複数の信号方式のうちの前記別の信号処理装置で採用された信号方式の前記オリジナル信号が、装置毎で採用可能な複数の変換方式のうちの前記別の信号処理装置で採用された変換方式により変換された結果得られる信号が、前記第１の信号として前記記録媒体に記録され、装置に依存しない共通の信号方式の前記オリジナル信号が、装置に依存しない共通の変換方式により変換された結果得られる信号が、前記第２の信号として前記記録媒体に記録されていることができる。
【００１１】
装置毎で採用可能な複数の前記信号方式は、Standard Definition Televisionの所定の規格に従ったSD方式と、High-Definition Televisionの所定の規格に従ったHD方式とを少なくとも含むことができる。
【００１２】
装置毎で採用可能な複数の前記変換方式は、複数の圧縮方式を含むことができる。
【００１３】
前記第２の信号は、前記第１の信号の代理として利用されるProxy信号であり、Standard Definition Televisionの所定の規格に従ったSD方式と、High-Definition Televisionの所定の規格に従ったHD方式とのうちの何れか一方の方式が、前記Proxy信号の前記信号方式とされていることができる。
【００１４】
前記第２の信号は、前記第１の信号の代理として利用されるProxy信号であり、画サイズを規定サイズに縮小させる方式と、所定のひとつの圧縮方式とを組み合わせた方式が、前記Proxy信号の前記変換方式とされていることができる。
【００１５】
前記処理実行手段により実行される前記第１の処理は、ユーザの第１の指示に基づく前記映像情報の再生処理であり、前記処理実行手段により実行される前記第２の処理は、ユーザの第２の指示に基づく前記映像情報の再生処理であることができる。
【００１６】
映像情報を少なくとも含む情報を、自装置で採用されている前記信号方式の信号として入力し、自装置で採用されている前記変換方式で変換し、その結果得られる信号を前記第１の信号として記録する処理を実行する記録手段と、前記判定手段により自装置で採用された方式であると判定された場合、前記記録手段の前記処理の実行を許可し、前記判定手段により自装置で採用された方式ではないと判定された場合、前記記録手段の前記処理の実行を禁止する記録制御手段とをさらに備えることができる。
【００１７】
前記判定手段により自装置で採用された方式ではないと判定された場合、そのことをユーザに呈示する呈示手段をさらに備えることができる。
【００１８】
本発明の信号処理装置においては、別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方が、前記記録媒体から読み出されて処理が施される。詳細には、前記記録媒体に記録されている前記第１の信号の方式が、自装置で採用された方式であるか否かが判定される。そして、自装置で採用された方式であると判定された場合、前記第１の処理の実行時には、前記第１の信号が記録媒体から読み出されて利用され、前記第２の処理の実行時には、前記第２の信号が記録媒体から読み出されて利用される。これに対して、自装置で採用された方式ではないと判定された場合、前記第１の処理の実行時には、前記第１の信号が記録媒体から読み出されて利用され、前記第２の処理の実行時には、前記第２の信号が記録媒体から読み出されて利用される。
【００１９】
本発明の一側面の信号処理方法は、別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して、読み出した方の信号を利用して第１の処理または第２の処理を実行する信号処理装置の信号処理方法であって、前記記録媒体に記録されている前記第１の信号の方式が、前記信号処理装置自身で採用された方式であるか否かを判定し、前記信号処理装置自身で採用された方式であると判定された場合、前記第１の処理を実行するときには前記第１の信号を利用し、前記第２の処理を実行するときには前記第２の信号を利用し、前記信号処理装置自身で採用された方式ではないと判定された場合、前記第１の処理および前記第２の処理の何れを実行するときにも前記第２の信号を利用するステップを含む。
【００２０】
本発明の一側面のプログラムは、上述した本発明の一側面の情報処理方法に対応するプログラムである。
【００２１】
本発明の一側面の信号処理方法およびプログラムにおいては、別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方が、前記記録媒体から読み出されて、読み出された方の信号を利用して第１の処理または第２の処理が実行される。詳細には、前記記録媒体に記録されている前記第１の信号の方式が、前記信号処理装置自身で採用された方式であるか否かが判定され、前記信号処理装置自身で採用された方式であると判定された場合、前記第１の処理を実行するときには前記第１の信号が利用され、前記第２の処理を実行するときには前記第２の信号が利用される。これに対して、前記信号処理装置自身で採用された方式ではないと判定された場合、前記第１の処理および前記第２の処理の何れを実行するときにも前記第２の信号が利用される。
【発明の効果】
【００２２】
以上のごとく、本発明の一側面によれば、記録媒体に記録された信号に対して再生処理等を施すことができる。特に、その記録方式によらず、再生処理等を施すことができる。
【発明を実施するための最良の形態】
【００２３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の一側面の信号処理装置（例えば図１の光ディスク記録再生装置１、図１１の光ディスク記録再生装置１１１、図１２の光ディスク記録再生装置１１２）は、
別の信号処理装置（例えば、図１１の光ディスク記録再生装置１１１にとっては図１２の光ディスク記録再生装置１１２が別の信号処理装置であり、図１２の光ディスク記録再生装置１１２にとっては図１１の光ディスク記録再生装置１１１が別の信号処理装置である）により所定の情報に基づいてそれぞれ生成されて記録媒体（例えば図１等の光ディスク５１）に記録された、装置毎で採用可能な複数方式のうちの前記別の信号処理装置で選択された方式による第１の信号（例えば後述する本線信号）と、装置に依存しない共通の方式の第２の信号（例えば後述するProxy信号）とのうちの少なくとも一方を、前記記録媒体から読み出して処理を施す信号処理装置において、
提供された信号を利用して第１の処理または第２の処理を実行する処理実行手段（例えば再生に関する処理を実行するブロック、具体的には例えば図１の例では、光ディスク記録/再生部１８や各伸張部３０，３４，２５等）と、
前記記録媒体に記録されている前記第１の信号の方式が、自装置で採用された方式であるか否かを判定する判定手段（例えば図１等のシステム制御部４１のうちの、図７のディスク解析部７２）と、
前記判定手段により自装置で採用された方式であると判定された場合、前記第１の処理に利用される信号として前記第１の信号を、前記第２の処理に利用される信号として前記第２の信号を、それぞれ前記記録媒体から読み出して前記処理実行手段に提供することを制御し、前記判定手段により自装置で採用された方式ではないと判定された場合、前記第１の処理および前記第２の処理の何れにも利用される信号として前記第２の信号を、前記記録媒体から読み出して前記処理実行手段に提供することを制御する制御手段（例えば図１等のシステム制御部４１のうちの、図７の再生制御部７６）と
を備える。
【００２５】
前記処理実行手段により実行される前記第１の処理は、ユーザの第１の指示（例えば図９のステップＳ２２や図１０のステップＳ４４の処理でいう本線再生指示）に基づく前記映像情報の再生処理であり、前記処理実行手段により実行される前記第２の処理は、ユーザの第２の指示（例えば図９のステップＳ２４や図１０のステップＳ４６の処理でいうプロキシ再生指示）に基づく前記映像情報の再生処理である。
【００２６】
映像情報を少なくとも含む情報を、自装置で採用されている前記信号方式の信号として入力し、自装置で採用されている前記変換方式で変換し、その結果得られる信号を前記第１の信号として記録する処理を実行する記録手段（例えば記録に関する処理を実行するブロック、具体的には例えば図１の例では、各圧縮部１３，１６や光ディスク記録/再生部１８等）と、
前記判定手段により自装置で採用された方式であると判定された場合、前記記録手段の前記処理の実行を許可し、前記判定手段により自装置で採用された方式ではないと判定された場合、前記記録手段の前記処理の実行を禁止する記録制御手段（例えば図１等のシステム制御部４１のうちの、図７の記録制御部７７）と
をさらに備える。
【００２７】
前記判定手段により自装置で採用された方式ではないと判定された場合、そのことをユーザに呈示する呈示手段（例えば図１のワーニング表示部４３）を
さらに備える。
【００２８】
本発明の一側面の信号処理方法（例えば図８乃至図１０のシステム制御部４１の処理）は、
上述した本発明の一側面の信号処理装置に対応する装置の信号処理方法であって、
前記記録媒体に記録されている前記第１の信号の方式が、前記信号処理装置自身で採用された方式であるか否かを判定し（例えば図８のステップＳ３の判定処理）、
前記信号処理装置自身で採用された方式であると判定された場合、前記第１の処理を実行するときには前記第１の信号を利用し、前記第２の処理を実行するときには前記第２の信号を利用し（例えば図８のステップＳ４の処理、即ち、図９の通常光ディスク処理）、
前記信号処理装置自身で採用された方式ではないと判定された場合、前記第１の処理および前記第２の処理の何れを実行するときにも前記第２の信号を利用する（例えば図８のステップＳ５の処理、即ち、図１０の簡易光ディスク処理）
ステップを含む。
【００２９】
本発明の一側面のプログラムは、上述した本発明の一側面の信号処理方法に対応するプログラムである。詳細については後述するが、このプログラムは、例えば、図１３のリムーバブルメディア３１１や、記憶部３０８に含まれるハードディスク等の記録媒体に記録され、図１３の構成のコンピュータにより実行される。
【００３０】
その他、本発明の一側面としては、上述した本発明の一側面のプログラムを記録した記録媒体も含まれる。
【００３１】
以下、図面を参照して、本発明の実施の形態について説明する。
【００３２】
図１は、本発明を適用した光ディスク記録再生装置の構成例を示す図である。
【００３３】
図１の例では、光ディスク記録再生装置１は、コンテンツのオリジナル信号であるSD信号を、所定の圧縮方式、例えばIMX/DVCAM方式等で圧縮符号化（エンコード）し、その結果得られる信号（以下、SD本線映像信号と称する）を光ディスク５１に記録することができる。また、光ディスク記録再生装置１は、光ディスク５１に記録されたSD本線映像信号を再生すること、即ち、それを読み出して伸張復号し、その結果得られるSD信号を出力することもできる。
【００３４】
同様に、光ディスク記録再生装置１は、コンテンツのオリジナル信号であるHD信号を、所定の圧縮方式、例えばMPEG（Moving Picture Experts Group）-long方式等で圧縮符号化（エンコード）し、その結果得られる信号（以下、HD本線映像信号と称する）を光ディスク５１に記録することができる。また、光ディスク記録再生装置１は、光ディスク５１に記録されたHD本線映像信号を再生すること、即ち、それを読み出して伸張復号し、その結果得られるHD信号を出力することもできる。
【００３５】
さらに、光ディスク記録再生装置１は、光ディスク５１への記録再生の対象として、所定のコンテンツについてのSD/HD本線映像信号だけでなく、その所定のコンテンツについてのProxy信号も取り扱うこともできる。
【００３６】
Proxy信号とは、コンテンツの編集を行う場合に、SD/HD本線映像信号の代理として利用される信号であって、例えば簡易的な編集が可能となるように生成された信号の総称をいう。
【００３７】
例えば、SD/HD本線映像信号と比較して、その画サイズを小さくするように生成された信号がProxy信号のひとつの種類である。この種類のProxy信号（以下、画サイズ縮小タイプProxy信号と称する）は、SD/HD本線映像信号と比較して、データ量が少ないという特徴を有しており、かかる特徴により簡易的な編集が可能となる。
【００３８】
また例えば、圧縮方式としてMPEG-long等が採用されている場合、オリジナル信号に対するエンコード処理がGOP（Group of Picture）単位で施された結果得られる信号がSD/HD本線映像信号となる。この場合、その代わりの信号として、SD/HD信号に対するエンコード処理がフレーム単位で施された結果得られる信号もまた、Proxy信号の一種類として採用可能である。ここでいうフレーム単位のエンコード処理とは、オリジナル信号を構成する全フレームについて、自分自身のみを利用してエンコードする処理、即ち、他のフレーム（前後のフレーム等）を利用せずにエンコードする処理のことをいう。ここでいうフレーム単位のエンコード処理は、イントラ圧縮と称されることもある。従って、SD/HD本線映像信号では、Ｉピクチャ以外のPピクチャやBピクチャをデコードするためには、対応するGOPに含まれる他のフレームが必須とされていたのに対して、イントラ圧縮により得られたProxy信号（以下、かかる種類のProxy信号を、イントラ圧縮タイプProxy信号と称する）では、Ｉピクチャと同様に自身のフレームのみでデコードできるという特徴、即ち、フレーム単位でデコードできるという特徴を有しており、かかる特徴により簡易的な編集が可能となる。
【００３９】
このようなSD/HD本線映像信号とProxy信号とを利用できるように、図１の例の光ディスク記録再生装置１は、端子１１乃至ワーニング表示部４３を含むように構成されている。
【００４０】
HD信号入力部１２は、外部から提供されてきたHD信号を端子１１を介して入力し、HD本線映像圧縮部１３とダウンコンバート部１９に提供する。
【００４１】
HD本線映像圧縮部１３は、提供されたHD信号を所定の圧縮方式（例えばMPEG-long方式）で圧縮符号化（エンコード）し、その結果得られるエレメンタリーストリーム（以下、ES信号と称する）をHD本線映像信号として切替部１７に提供する。
【００４２】
一方、SD信号入力部１５は、外部から提供されてきたSD信号を端子１４を介して入力し、SD本線映像圧縮部１６と切替部２０に提供する。
【００４３】
SD本線映像圧縮部１６は、提供されたSD信号を所定の圧縮方式（例えばIMX/DVCAM方式）で圧縮符号化（エンコード）し、その結果得られるES信号をSD本線映像信号として切替部１７に提供する。
【００４４】
切替部１７は、後述するシステム制御部４１の制御に基づいて、その入力を、HD本線映像圧縮部１３側とSD本線映像圧縮部１６側とのうちのいずれか一方に切り替える。
【００４５】
具体的には、切替部１７の入力がHD本線映像圧縮部１３側に切り替えられた場合、HD本線映像圧縮部１３から出力されたHD本線映像信号が、切替部１７に入力されて光ディスク記録／再生部１８に提供される。
【００４６】
一方、切替部１７の入力がSD本線映像圧縮部１６側に切り替えられた場合、SD本線映像圧縮部１６から出力されたSD本線映像信号が、切替部１７に入力されて光ディスク記録／再生部１８に提供される。
【００４７】
光ディスク記録/再生部１８は、システム制御部４１の制御に基づいて、次のような処理を実行する。
【００４８】
即ち、光ディスク記録/再生部１８は、切替部１７から提供されてくるHD本線映像信号またはSD本線映像信号を光ディスク５１に記録する（書き込む）。さらに、光ディスク記録/再生部１８は、後述するProxy映像圧縮部２１から提供されてくるProxy信号を光ディスク５１に記録する。
【００４９】
また、光ディスク記録/再生部１８は、光ディスク５１に記録されているHD本線映像信号またはSD本線映像信号を必要に応じて読み出して、切替部２４に提供する。さらにまた、光ディスク記録/再生部１８は、光ディスク５１に記録されているProxy信号を必要に応じて読み出して、Proxy映像伸張部３４に提供する。
【００５０】
ダウンコンバート部１９は、上述したHD信号入力部１２または後述するHD本線映像伸張部３０から提供されたHD信号に対してダウンコンバート処理を施し、その結果得られるSD信号を、切替部２０と切替部２６とに提供する。詳細については後述するが、HD信号からダウンコンバートされたSD信号が、切替部２０に提供される理由は、そのSD信号から、HD用Proxy信号をProxy映像圧縮部２１に生成させるためであり、切替部２６に提供される理由は、主に、そのSD信号に対応する映像を表示部２９に表示させるためである。
【００５１】
切替部２０は、システム制御部４１の制御に基づいて、その入力を、SD信号入力部１５側とダウンコンバート部１９側とのうちのいずれか一方に切り替える。
【００５２】
具体的には、切替部２０の入力がSD信号入力部１５側に切り替えられた場合、SD信号入力部１５の出力信号であるSD信号が、切替部２０を介してProxy映像圧縮部２１に提供される。この場合、後述するように、SD用Proxy信号がProxy映像圧縮部２１により生成される。
【００５３】
一方、切替部２０の入力がダウンコンバート部１９側に切り替えられた場合、ダウンコンバート部１９の出力信号であるSD信号が、即ち、HD信号からダウンコンバートされたSD信号が、切替部２０に入力されてProxy映像圧縮部２１に提供される。この場合、後述するように、HD用Proxy信号がProxy映像圧縮部２１により生成される。
【００５４】
Proxy映像圧縮部２１は、切替部２０から提供されたSD信号に対して、Proxy信号に変換する処理を施して、その結果得られるProxy信号を光ディスク記録／再生部１８に提供する。
【００５５】
上述したように、Proxy信号には、画サイズ縮小タイプProxy信号や、イントラ圧縮タイプProxy信号といった様々な種類（タイプ）が存在する。このため、Proxy映像圧縮部２１によるProxy信号に変換する処理とは、変換後のProxy信号のタイプに応じてそれぞれ異なる処理となる。そこで、説明の簡略上、以下、画サイズ縮小タイプProxy信号が採用されているとして説明を行う。
【００５６】
即ち、Proxy映像圧縮部２１は、SD信号に対して、画サイズ縮小タイプProxy信号に変換する処理を施して、その結果得られる画サイズ縮小タイプProxy信号を光ディスク記録／再生部１８に提供する。
【００５７】
このような画サイズ縮小タイプProxy信号に変換する処理を実行するためには、Proxy映像圧縮部２１は、例えば、図２に示されるように、SD/Proxy画サイズ変換部６１と圧縮符号化部６２とから構成することができる。
【００５８】
SD/Proxy画サイズ変換部６１は、切替部２０（図１）より提供されたSD信号に対して、その画サイズ（例えば７２０画素の４８０有効ラインに対応する画サイズ）を縮小させる処理、具体的には例えば水平×垂直の画素数が３５２×２４０の画サイズに変換する処理を施し、その結果得られるベースバンド信号（以下、画サイズ縮小信号と称する）を圧縮符号化部６２に提供する。
【００５９】
圧縮符号化部６２は、SD/Proxy画サイズ変換部６１から提供された画サイズ縮小信号を所定の圧縮方式（例えばMPEG4方式）で圧縮符号化（エンコード）し、その結果得られるES信号をProxy信号として（より正確には画サイズ縮小タイプProxy信号）として光ディスク記録/再生部１８（図１）に提供する。
【００６０】
図１に戻り、HD信号入力部１２に入力されたHD信号に対して、ダウンコンバート部１９によりダウンコンバート処理が施され、その結果得られるSD信号が、切替部２０を介してProxy映像圧縮部２１に入力される場合、Proxy映像圧縮部２１からはHD用Proxy信号が出力される。
【００６１】
これに対して、SD信号入力部１５に入力されたSD信号が、切替部２０を介してProxy映像圧縮部２１に入力される場合、Proxy映像圧縮部２１からはSD用Proxy信号が出力される。
【００６２】
このように、HD用Proxy信号を生成する場合であっても、HD信号はSD信号に変換された後にProxy映像圧縮部２１に提供されるので、即ち、SD用Proxy信号を生成する場合と同様にSD信号の形態でProxy映像圧縮部２１に提供されるので、Proxy映像圧縮部２１は、HD用Proxy信号を、SD用Proxy信号と同一のフォーマット（同一方式）で生成することができる。例えばここでは、同一方式とは、画サイズ縮小タイプProxy信号を取り扱える方式をいう。
【００６３】
さらに、このProxy信号の同一方式を全機種で採用するようにすれば（そのような規格化等を行えば）、後述するように、何れの機種の光ディスク記録再生装置でも、別の機種により光ディスク５１に記録されたSD/HD本線映像信号の再生はできずとも、別の機種により光ディスク５１に記録されたProxy信号の再生はできるようになる。このことの詳細については、図７以降の図面を用いて後述する。
【００６４】
ネットワーク接続部２２は、端子２３を介して所定のネットワーク（図示せず）と接続して、ネットワーク上の他の装置（図示せず）と送受信処理を実行する。例えば、ネットワーク接続部２２は、光ディスク記録/再生部１８により光ディスク５１から読み出された各種信号を、図示せぬ編集装置や放送局等にネットワークを介して送信することができる。
【００６５】
その際、ネットワーク接続部２２は、SD本線映像信号やHD本線映像信号をネットワーク上の他の装置に直接送信することもできるが、そのデータ量が大きいため（特に、HD本線映像信号は非常にデータ量が大きいため）、その分だけ送信時間が長時間となる、という問題点が発生する場合がある。そこで、かかる問題点を解決するためには、ネットワーク接続部２２は、データ量の小さい画サイズ縮小タイプProxy信号をネットワーク上の他の装置に送信すればよい。
【００６６】
また、SD本線映像信号、HD本線映像信号、および、Proxy信号はES信号であるので、ネットワーク接続部２２は、それらのES信号を、例えばIEEE（The Institute of Electrical and Electronics Engineers, Inc.）1394で規定されているトランスポートストリーム信号（以下、TS信号と称する）に変換した上で、端子２３を介してネットワーク上の他の装置に送信することもできる。
【００６７】
切替部２４は、システム制御部４１の制御に基づいて、その出力を、SD本線映像伸張部２５側とHD本線伸張部３０側とのうちのいずれか一方に切り替える。
【００６８】
具体的には、切替部２４の出力がSD本線映像伸張部２５側に切り替えられた場合、光ディスク記録／再生部１８により光ディスク５１から読み出されたSD本線映像信号が、切替部２４に入力されてSD本線映像伸張部２５に提供される。
【００６９】
一方、切替部２４の出力がHD本線映像伸張部３０側に切り替えられた場合、光ディスク記録／再生部１８により光ディスク５１から読み出されたHD本線映像信号が、切替部２４に入力されてHD本線映像伸張部３０に提供される。
【００７０】
SD本線映像伸張部２５は、切替部２４から提供されたSD本線映像信号（ES信号）を、SD本線映像圧縮部１６で利用された圧縮方式に対応する復調方式（例えばIMX/DVCAM方式）で伸張復号（デコード）し、その結果得られるSD信号を切替部２６に提供する。
【００７１】
切替部２６は、システム制御部４１の制御に基づいて、その入力を、SD本線映像伸張部２５側、Proxy映像伸張部３４側、および、ダウンコンバート部１９側のうちのいずれか一方に切り替える。
【００７２】
具体的には、切替部２６の入力がSD本線映像伸張部２５側に切り替えられた場合、SD本線映像伸張部２５から出力されたSD信号、即ち、上述したようにSD本線映像信号から変換されたSD信号が、切替部２６に入力されて、SD信号出力部２７、表示部２９、およびアップコンバート部３５に提供される。
【００７３】
また、切替部２６の入力がProxy映像伸張部３４側に切り替えられた場合、Proxy映像伸張部３４から出力されたSD信号、即ち、後述するようにProxy信号から変換されたSD信号が、切替部２６に入力されて、SD信号出力部２７、表示部２９、およびアップコンバート部３５に提供される。
【００７４】
なお、一般的に、いわゆるシャトル再生（早送り再生）を行うサーチ機能や、サムネイル画像（静止画像）の表示（再生）を行うサムネイル機能が利用される場合に、切替部２６の入力がProxy映像伸張部３４側に切り替えられる。即ち、サーチ機能やサムネイル機能が実現される場合、SD本線映像信号（それに対応するSD信号）の代わりに、SD用Proxy信号（それに対応するSD信号）が利用される。
【００７５】
また、切替部２６の入力がダウンコンバート部１９側に切り替えられた場合、ダウンコンバート部１９から出力されたSD信号、即ち、外部から入力されたHD信号または後述するようにHD本線映像信号から変換されたHD信号等に対して、ダウンコンバート部１９によりダウンコンバート処理が施された結果得られるSD信号が、切替部２６に入力される。そして、そのSD信号は、切替部２６から、SD信号出力部２７、表示部２９、およびアップコンバート部３５に提供される。
【００７６】
SD信号出力部２７は、切替部２６から提供されたSD信号を、端子２８から外部に出力する。
【００７７】
表示部２９は、切替部２６から提供されたSD信号に対応する映像を表示する。ここで注目すべき点は、表示部２９の表示対象のSD信号は、元々SD信号であったものの他、さらに、元々HD信号であったものがダウンコンバート部１９によりSD信号に変換されたものも含む点である。この点により、ユーザは、外部から提供されてきたHD信号や、光ディスク５１から再生されたHD信号（それらに対応する映像）を表示部２９でリアルタイムに視認することが可能になる。
【００７８】
HD本線映像伸張部３０は、切替部２４から提供されたHD本線映像信号（ES信号）を、HD本線映像圧縮部１３で利用された圧縮方式に対応する復調方式（例えばMPEG-long方式）で伸張復号（デコード）し、その結果得られるHD信号を切替部３１とダウンコンバート部１９に提供する。上述したように、ダウンコンバート部１９に提供されたHD信号はSD信号に変換された後、切替部２６、SD信号出力部２７、および端子２８を介して外部に出力されたり、表示部２９に提供されて、対応する映像が表示される。
【００７９】
切替部３１は、システム制御部４１の制御に基づいて、その入力を、HD本線映像伸張部３０側とアップコンバート部３５側とのうちのいずれか一方に切り替える。
【００８０】
具体的には、切替部３１の入力がHD本線映像伸張部３０側に切り替えられた場合、HD本線映像伸張部３０から出力されたHD信号、即ち、上述したようにHD本線映像信号から変換されたHD信号が、切替部３１に入力されてHD信号出力部３２に提供される。
【００８１】
一方、切替部３１の入力がアップコンバート部３５側に切り替えられた場合、アップコンバート部３５から出力されたHD信号が、切替部３１に入力されてHD信号出力部３２に提供される。アップコンバート部３５から出力されたHD信号とは、後述するようにSD信号に対してアップコンバート部３５によるアップコンバート処理が施された結果得られるHD信号であり、例えば、光ディスク５１にHD本線映像信号とともに記録されていたHD用Proxy信号に対応するHD信号である。
【００８２】
なお、一般的に、上述したサーチ機能やサムネイル機能が利用される場合に、切替部３１の入力がアップコンバート部３５側に切り替えられる。即ち、HD信号についてもSD信号と同様に、サーチ機能やサムネイル機能が実現される場合、HD本線映像信号（それに対応するHD信号）の代わりに、HD用Proxy信号（それに対応するHD信号）が利用される。
【００８３】
HD信号出力部３２は、切替部３１から提供されたHD信号を、端子３３から外部に出力する。
【００８４】
Proxy映像伸張部３４は、光ディスク記録／再生部１８により光ディスク５１から読み出されたProxy信号に対して、SD信号に変換する処理を施して、その結果得られるSD信号を切替部２６に提供する。切替部２６に提供されたSD信号が、SD用Proxy信号から変換されたSD信号であった場合、そのSD信号は、SD信号出力部２７と端子２８を介して外部に出力される。これに対して、切替部２６に提供されたSD信号が、HD用Proxy信号から変換されたSD信号であった場合、そのSD信号は、後述するアップコンバート部３５によりHD信号に変換されて、変換後のHD信号が、切替部３１、HD信号出力部３２、端子３３を介して外部に出力される。
【００８５】
上述したように、Proxy信号には、画サイズ縮小タイプProxy信号や、イントラ圧縮タイプProxy信号といった様々な種類（タイプ）が存在する。このため、Proxy映像伸張部３４によるSD信号に変換する処理とは、Proxy映像圧縮部２１によるProxy信号に変換する処理と同様に、変換前のProxy信号のタイプに応じてそれぞれ異なる処理となる。
【００８６】
ただし、ここでは、上述したように説明の簡略上、画サイズ縮小タイプProxy信号が採用されているとしている。即ち、光ディスク５１には画サイズ縮小タイプProxy信号が記録されるとされている。
【００８７】
この場合、Proxy映像伸張部３４は、画サイズ縮小タイプProxy信号からSD信号に変換する処理を実行する。
【００８８】
このような画サイズ縮小タイプProxy信号からSD信号に変換する処理を実行するためには、Proxy映像伸張部３４は、例えば、図３に示されるように、伸張復号部６３とProxy/SD画サイズ変換部６４とから構成することができる。
【００８９】
伸張復号部６３は、光ディスク記録／再生部１８（図１）により光ディスク５１から読み出されたProxy信号（ES信号）を、圧縮符号化部６２（図２）で利用された圧縮方式に対応する復調方式（例えばMPEG４方式）で伸張復号（デコード）し、その結果得られる画サイズ縮小信号、即ち、図２のSD/Proxy画サイズ変換部６１の出力信号の復元信号を、Proxy/SD画サイズ変換部６４に提供する。
【００９０】
Proxy/SD画サイズ変換部６４は、伸張復号部６３から提供された画サイズ縮小信号に対して、その画サイズ（例えば水平×垂直の画素数が３５２×２４０の画サイズ）を拡大させる処理、具体的には例えば７２０画素の４８０有効ラインに対応する画サイズに変換する処理を施し、その結果得られるSD信号を切替部２６（図１）に提供する。
【００９１】
換言すると、Proxy/SD画サイズ変換部６４は、図２のSD/Proxy画サイズ変換部６１が実行する変換処理に対して、その逆変換処理を実行する。
【００９２】
図１に戻り、アップコンバート部３５は、切替部２６から提供されたSD信号に対して、例えば上述したようにSD用Proxy信号から変換されたSD信号に対してアップコンバート処理を施し、その結果得られるHD信号を、切替部３１に提供する。
【００９３】
システム制御部４１は、上述した各種ブロックを制御することで、図１の例の光ディスク記録再生装置１の動作全体を制御する。かかるシステム制御部４１の制御の具体例については、図７乃至図１０等を参照して後述する。
【００９４】
操作部４２は、ユーザにより操作され、ユーザからの各種指示を示す制御信号を、システム制御部４１に提供する。即ち、システム制御部４１は、この制御信号で示されるユーザ指示に従って、各種制御を実行する。操作部４２は、光ディスク記録再生装置１の筺体面に配置される各種ボタン群で構成することもできるし、リモートコントローラ（および受光部）で構成することもできる。
【００９５】
ワーニング表示部４３は、システム制御部４１の制御（かかる制御については後述する）に基づいて、光ディスク５１に記録されている本線映像信号の方式が再生不可能な方式であることのワーニング（警告）表示を行う。
【００９６】
ここで、図４乃至図６を参照して、本発明を適用した光ディスク記録再生装置１の記録/再生対象となっている光ディスク５１の記録内容や管理方法等について、本実施の形態で採用されている一例を説明する。
【００９７】
本実施の形態では、光ディスク５１においては、所定のファイルシステムの管理情報により、各記録データ（HD本線映像信号、SD本線映像信号、Proxy信号等）は、それぞれ、図４乃至図６に示されるように、ファイルとして管理される。
【００９８】
光ディスク５１の記録データを管理するファイルシステムとしては、どのような方式のものを用いてもよく、例えば、UDF（Universal Disk Format）やISO9660（International Organization for Standardization 9660）等を用いてもよい。また、後述するように、記録メディアは光ディスク５１に限定されず、例えばハードディスク等の磁気ディスクを採用することができる。このような場合には、ファイルシステムとして、FAT（File Allocation Tables）、NTFS（New Technology File System）、HFS（Hierarchical File System）、またはUFS（Unix（登録商標） File System）等を用いてもよい。また、専用のファイルシステムを用いるようにしてもよい。
【００９９】
このファイルシステムにおいては、光ディスク５１に記録されたデータは図４に示されるようなディレクトリ構造およびファイルにより管理される。
【０１００】
即ち、図示せぬルートディレクトリには、図示せぬ構成データ等とともに、図４のPROAVディレクトリが設けられている。このPROAVディレクトリには、以下に示すような、再生に必要な各種情報（データ）が設けられている。
【０１０１】
即ち、PROAVディレクトリには、インデックスファイル（INDEX.XML，INDEX.BUP）、光デディスクインフォメーションファイル（DISCINFO.XML,DISKINFO.BUP）、クリップルートディレクトリ（CLPR）、および、エディットリストルートディレクトリ（EDTR）が設けられている。
【０１０２】
インデックスファイル（INDEX.XML）には、光ディスク５１に記録されている全てのクリップおよびエディットリスト（クリップやエディットリストについては後述する）を管理するための管理情報等が含まれている。インデックスファイル（INDEX.BUP）は、インデックスファイル（INDEX.XML）の複製である。ディスクインフォメーションファイル（DISCINFO.XML）には、光ディスク５１に関する情報（最後の再生位置等）が含まれている。ディスクインフォメーションファイル（DISKINFO.BUP）は、ディスクインフォメーションファイル（DISCINFO.XML）の複製である。
【０１０３】
クリップルートディレクトリ(CLPR)には、光ディスク５１に記録されている各クリップが、それぞれ別々のディレクトリに分けて管理されており、例えば、図４の場合、３つのクリップが、クリップディレクトリ（C0001）、クリップディレクトリ（C0002）、および、クリップディレクトリ（C0003）の３つのディレクトリに分けられて管理されている。即ち、光ディスク５１に最初に記録されたクリップを構成する各データは、クリップディレクトリ（C0001）の下位のディレクトリのファイルとして管理され、２番目に記録されたクリップを構成する各データは、クリップディレクトリ（C0002）の下位のディレクトリのファイルとして管理され、３番目に記録されたクリップを構成する各データは、クリップディレクトリ（C0003）の下位のディレクトリのファイルとして管理される。
【０１０４】
クリップは、コンテンツについての１回の記録処理を単位として、次のような様々なものを示す用語として利用されている。１回の記録処理とは、例えば撮影者が撮像を開始して終了するまでの１回の撮像操作に従って、その間に撮像されたコンテンツ（映像や音声の集合体であり、以下、適宜素材とも称する）が、データ（信号）として光ディスク５１に記録されるまでの一連の処理をいう。即ち、１回の記録処理に要した時間、１回の記録処理により得られる画像データの長さやデータ量、その画像データ自体、その１回の記録処理により得られる各種データの長さやデータ量、それらの各種データの集合体自体等をそれぞれ示すために、クリップという用語が適宜用いられている。
【０１０５】
ただし、ここでは、クリップとは、１回の記録処理により光ディスク５１に記録される各種素材データやそれらに関連する各種データの集合体を示すとする。
【０１０６】
即ち、本実施の形態では、クリップには、１回の記録処理により光ディスク５１に記録されるSD本線映像信号またはHD本線映像信号（以下、これらをまとめて本線映像信号と称する）が含まれる。この場合、上述した例では、映像についても言及したが、コンテンツ（素材）には音声も含まれていることが多く、このため、本線映像信号の他、実際には、それに対応する音声信号（以下、本線音声信号と称する）も光ディスク５１に記録されることになる。即ち、クリップには、本線映像信号に対応する本線音声信号も含まれる。また、クリップには、本線映像信号に対応するProxy映像信号も含まれる。このように、本実施の形態では、本線映像信号および本線音声信号、並びにProxy信号が、素材データとしてクリップに含まれる。その他、これらの素材データに関連するデータとして、メタデータ等がクリップに含まれる。
【０１０７】
具体的には例えば本実施の形態では、最初（１回目）の記録処理により光ディスク５１に記録されるクリップには、上述したような素材データやメタデータ等が含まれているが、これらの素材データやメタデータ等は、図５に示されるように、クリップディレクトリ（C0001）の下位のディレクトリの各ファイルのそれぞれに含められて管理される。
【０１０８】
即ち、図５において、クリップディレクトリ(C0001)には、クリップインフォメーションファイル（C0001C01.SMI）、画像データファイル（C0001V01.MXF）、音声データファイル（C0001A01.MXF乃至C0001A08.MXF）、プロキシデータファイル（C0001S01.MXF）、メタデータファイル（C0001M01.XML，C0001R01.BIM）、および、ピクチャポインタファイル（C0001I01.PPF）が設けられている。
【０１０９】
クリップインフォメーションファイル（C0001C01.SMI）には、このクリップ（C0001）を管理するための各種情報、例えば各データのタイミング関係等が含められている。
【０１１０】
画像データファイル（C0001V01.MXF）には、このクリップ(C0001)についての本線映像信号が含められている。
【０１１１】
８つの音声データファイル（C0001A01.MXF乃至C0001A08.MXF）のそれぞれには、このクリップ(C0001)についての本線音声信号を構成する最大８チャンネルの各音声データのそれぞれが含まれている。
【０１１２】
プロキシデータファイル（C0001S01.MXF）には、このクリップ(C000１)についてのProxy信号が含められている。
【０１１３】
メタデータファイル（C0001M01.XML）には、リアルタイム性が要求されないメタデータ（以下、ノンリアルタイムメタデータと称する）が、具体的には例えば、タイトル、タイムコード変化点、エッセンスマーク変化点等のデータが含まれている。これに対して、メタデータファイル（C0001R01.BIM）には、リアルタイム性が要求されるメタデータ（以下、リアルタイムメタデータと称する）が、具体的には例えば、タイムコード、エッセンスマーク等のデータが含まれている。
【０１１４】
ピクチャポインタファイル（C0001I01.PPN）には、例えば本線映像信号内のLong-GOP（Group of Picture）時のランダムアクセスに必要なデータ等が含まれている。
【０１１５】
このように、図５の例では、再生時にリアルタイム性が要求されるデータ、即ち、本線映像信号、Proxy信号、およびリアルタイムメタデータは、それぞれ１つのファイルとして管理され、読み出し時間が増加しないようになされている。
【０１１６】
また、本線音声信号も、再生時にリアルタイム性が要求されるが、7.1チャンネル等のような音声の多チャンネル化に対応するために、８チャンネル分用意され、それぞれ、異なるファイルとして管理されている。即ち、本線音声信号は８つのファイルとして管理されるように説明したが、これに限らず、本線音声信号に対応するファイルは、７つ以下であってもよいし、９つ以上であってもよい。
【０１１７】
同様に、本線映像信号、Proxy信号、およびリアルタイムメタデータも、場合によって、それぞれ、２つ以上のファイルとして管理されるようにしてもよい。
【０１１８】
また、図５の例では、リアルタイム性が要求されないノンリアルタイムメタデータは、リアルタイム性が要求されるリアルタイムメタデータと異なるファイルとして管理される。これは、画像データ等の通常の再生中に必要の無いメタデータを読み出さないようにするためであり、このようにすることにより、再生処理の処理時間や、処理に必要な負荷を軽減することができる。
【０１１９】
なお、メタデータファイル（C0001M01.XML）は、汎用性を持たせるためにXML形式のファイルとなっている。これに対して、メタデータファイル（C0001R01.BIM）は、再生処理の処理時間や処理に必要な負荷を軽減させるために、XML形式のファイルをコンパイルしたBIM形式のファイルとなっている。
【０１２０】
図５に示されるクリップディレクトリ(C0001)のファイルの構成例は、光ディスク５１に記録されている各クリップに対応する全てのクリップディレクトリにおいて適用することができる。即ち、図４に示される別のクリップディレクトリ(C0002，C0003)についても、図５に示されるファイルの構成例を適用することができるので、その説明は省略する。
【０１２１】
図４に戻り、以上説明したクリップルートディレクトリ(CLPR)の下方には、エディットリストルートディレクトリ(EDTR)が設けられている。このエディットリストルートディレクトリ(EDTR)には、光ディスク５１に記録されている各エディットリストが、それぞれ別々のディレクトリに分けて管理されている。例えば、図４の例では、４つのエディットリストのそれぞれが、エディットリストディレクトリ（E0001）、エディットリストディレクトリ（E0002）、エディットリストディレクトリ（E0003）、およびエディットリストディレクトリ（E0004）のそれぞれに分けて管理されている。
【０１２２】
ここに、エディットリストとは、各クリップの非破壊編集結果や、その編集結果に基づく再生方法（各クリップに含まれる素材データをどのようなタイミングで再生するのか等の方法）等を含む編集情報をいう。
【０１２３】
具体的には例えば、エディットリストディレクトリ（E002）には、図６に示されるように、エディットリストファイル(E0002E01.SMI)とメタデータファイル(E002M01.XML)とが設けられている。即ち、光ディスク５１に記録された各クリップのうちの少なくとも１つ（C0001,C002,C003のうちの少なくとも１つ）を用いて２回目の編集が行われ、その結果として生成されたエディットリストが、エディットリストファイル(E0002E01.SMI)に含まれている。また、メタデータファイル(E002M01.XML)には、この２回目の編集後の素材データ（編集に用いられた全クリップの素材データの内、編集後のデータとして抽出された部分）全体に対応するノンリアルタイムメタデータが、例えばタイトル、タイムコード変化点、エッセンスマーク変化点などが含まれている。
【０１２４】
図６に示されるエディットディレクトリ(E0002)のファイルの構成例は、光ディスク５１に記録されている各エディットリストに対応する全てのエディットリストディレクトリにおいて適用することができる。即ち、図４に示される別のエディットリストディレクトリ(E0001,E0003,E0004)についても、図６に示されるファイルの構成例を適用することができるので、その説明は省略する。
【０１２５】
このような図４乃至図６のディレクトリ構造を有する光ディスク５１に対して、記録や再生の制御を行うために必要な機能の一例が、図７に示されている。
【０１２６】
即ち、図７は、システム制御部４１（図１等）の機能的構成例を示す機能ブロック図である。図７の例では、システム制御部４１は、操作内容検出部７１乃至エディットリスト制御部７８を含むように構成されている。
【０１２７】
操作内容検出部７１は、操作部４２から提供される制御情報から、操作部４２の操作内容（ユーザの指示内容）を検出する。操作内容検出部７１の検出結果は、フォーマット制御部７４乃至エディットリスト制御部７８のうちの、その指示内容に関連する機能ブロックに対して必要に応じて提供される。指示内容に関連する機能ブロックとは、例えば、操作内容が再生指示である場合には再生制御部７６をいい、操作内容が記録指示である場合には記録制御部７７をいう。
【０１２８】
ディスク解析部７２は、光ディスク記録/再生部１８を制御して、上述した図４乃至図６のディレクトリ構造を解析したり、各ファイルに含まれている内容を解析する。ディスク解析部７２の解析結果は、操作内容検出部７１およびワーニング表示制御部７３乃至エディットリスト制御部７８のうちの、その解析結果を必要とする機能ブロックに対して必要に応じて提供される。
【０１２９】
ワーニング表示制御部７３は、光ディスク５１に記録されている本線映像信号の方式が再生不可能な方式であることがディスク解析部７２により解析された場合、そのことについてのワーニング（警告）表示をワーニング表示部４３に行わせるように制御する。
【０１３０】
なお、本実施の形態では、光ディスク５１に記録されている本線映像信号の方式が再生可能な方式であるか否かの判定（解析）は、図４のインデックスファイル（INDEX.XML）に含まれる情報に基づいて行うことが可能である。即ち、インデックスファイル（INDEX.XML）には、光ディスク５１に記録されている各クリップ（図４の例では、C0001,C0002,C0003）の本線映像信号の方式（圧縮方式や信号方式等）を特定可能な情報が含まれている。そこで、ディスク解析部７２は、かかる情報を参照することで、各クリップの本線映像信号の方式が、再生可能な方式（自機器で対応している方式）であるか否かを判定（解析）することができる。
【０１３１】
フォーマット制御部７４は、例えば操作内容検出部７１からフォーマット指示が提供された場合や、光ディスク５１のフォーマットがなされていないことがディスク解析部７２から通知された場合等において、光ディスク記録/再生部１８を制御して、光ディスク５１を新規ディスクとしてフォーマットする。
【０１３２】
イジェクト制御部７５は、例えば操作内容検出部７１からイジェクト指示が提供された場合や、Proxy信号の読み出しが不可能であることがディスク解析部７２から通知された場合等において、光ディスク記録/再生部１８を制御して、図示せぬ装着部から光ディスク５１をイジェクトする（取り出す）。
【０１３３】
なお、本実施の形態では、ディスク解析部７２は、プロキシデータファイル（図５のC0001S01.MXF等）自体が光ディスク５１に存在しない場合、または、プロキシデータファイル（図５のC0001S01.MXF等）自体は光ディスク５１に存在するが、それに含まれているデータが破損等の要因により再生不可能な状態となっている場合、Proxy信号の読み出しが不可能であると解析（判定）し、そのことをイジェクト制御部７５に通知する。
【０１３４】
再生制御部７６は、例えば操作内容検出部７１から再生指示が提供された場合等において、光ディスク５１に記録されている各クリップのうちの、再生指示で指定されたクリップについての再生制御を行う。
【０１３５】
かかる再生制御は、再生指示の内容や、光ディスク５１に記録されている本線映像信号の方式が再生可能な方式であるのか否かに応じて、それぞれ異なることになる。
【０１３６】
例えば本実施の形態では、再生機能としては、大別して、通常再生機能、JOG/VAR再生機能、サーチ機能、サムネイル機能、および、エディットリスト再生機能が設けられているとする。通常再生機能とは、例えば所定の再生位置から＋１倍速で再生を行う機能をいう。JOG/VAR再生機能とは、例えば再生速度のコントロール範囲を狭める（−１倍速から＋１倍速までの範囲に狭める）ことによって細かい再生速度を設定し得るジョグ(JOG)モードによる再生機能と、プラス側の設定範囲を広げた（−１倍速から＋３倍速までの範囲にする）バリアブル（VAR）モードによる再生機能とをいう。また、エディットリスト再生機能とは、例えばエディットリストに従った再生を行う機能をいう。サーチ機能とサムネイル機能とについては上述した通りである。
【０１３７】
従って、本実施の形態では、例えば、光ディスク５１に記録されている本線映像信号の方式が再生可能な方式であって、通常再生機能、JOG/VAR再生機能、または、エディットリスト再生機能による再生を行う再生指示が与えられた場合には、本線映像信号による再生を行うための再生制御が、再生制御部７６によりなされる。即ち、再生制御部７６は、図１の切替部２４の出力を適宜切替え、また、切替部３１の入力をHD本線映像伸張部３０側に切り替えるか、或いは切替部２６の入力をダウンコンバート部１９若しくはSD本線映像伸張部２５側に切り替える。その後、再生制御部７６は、光ディスク記録/再生部１８を制御して、再生対象の本線映像信号（および、それに対応する本線音声信号）を光ディスク５１から読みして、適宜必要なブロックに提供することで、本線映像信号の再生制御を行う。
【０１３８】
この場合、本線映像信号は、上述したように、各クリップディレクトリ（図４の例では、C0001乃至C0003）の各画像データファイル（図５の例では、C0001V01.MXF）にそれぞれ含められている。また、各画像データファイルの内容は、ディスク解析部７２により解析される。また、エディットリスト再生機能の場合には、エディットリストの内容の解析が必要になるが、かかる解析もディスク解析部７２によりなされる。従って、再生制御部７６は、ディスク解析部７２の解析結果に基づいて、再生対象の本線映像信号が含まれている画像データファイルを特定したり、再生対象の映像信号における再生位置を特定することができる。
【０１３９】
また、例えば、光ディスク５１に記録されている本線映像信号の方式が再生可能な方式であって、サーチ機能またはサムネイル機能による再生を行う再生指示が与えられた場合には、Proxy信号による再生を行うための再生制御が、再生制御部７６によりなされる。即ち、再生制御部７６は、切替部２６の入力をProxy映像伸張部３４側に切り替える。その後、再生制御部７６は、光ディスク記録/再生部１８を制御して、再生対象のProxy信号を光ディスク５１から読み出して、適宜必要なブロックに提供することで、Proxy信号の再生制御を行う。
【０１４０】
この場合、Proxy信号は、上述したように、各クリップディレクトリ（図４の例では、C0001乃至C0003）の各プロキシデータファイル（図５の例では、C0001S01.MXF）にそれぞれ含められている。また、各プロキシデータファイルの内容は、ディスク解析部７２により解析される。従って、再生制御部７６は、ディスク解析部７２の解析結果に基づいて、再生対象のProxy信号が含まれているプロキシデータファイルを特定したり、再生対象のProxy信号における再生位置を特定することができる。
【０１４１】
このように、本実施の形態では、光ディスク５１に記録されている本線映像信号の方式が再生可能な方式の場合には、通常再生機能、JOG/VAR再生機能、および、エディットリスト再生機能による再生として、本線映像信号による再生が行われる。これに対して、サーチ機能およびサムネイル機能による再生として、Proxy信号による再生が行われる。そこで、以下、通常再生機能、JOG/VAR再生機能、および、エディットリスト再生機能による再生を行わせるための再生指示をまとめて、本線再生指示と称する。これに対して、サーチ機能およびサムネイル機能による再生を行わせるための再生指示をまとめて、プロキシ再生指示と称する。
【０１４２】
この場合、本実施の形態では、例えば、光ディスク５１に記録されている本線映像信号の方式が再生不可能な方式のときには、本線再生指示であってもプロキシ再生指示であっても一括して、Proxy信号による再生が行われる。このことの詳細については、図１０等を参照して後述する。
【０１４３】
記録制御部７７は、例えば操作内容検出部７１から記録指示が提供された場合等において、各切替部や光ディスク記録/再生部１８等を制御して、この光ディスク記録再生装置１に入力されるオリジナル信号（SD/ED信号）を、本線映像信号（および本線音声信号）とProxy信号との形態にそれぞれ変換して、それらを新たなクリップとして光ディスク５１に記録させる。これにより、光ディスク５１のクリップルートディレクトリ(図４のCLPR)には、新たなクリップディレクトリが設けられることになる。
【０１４４】
ただし、光ディスク５１に既に記録されているクリップの本線映像信号の方式が再生不可能な方式の場合には、記録制御部７７は、記録指示が提供されたときであっても、光ディスク５１への記録制御を禁止し、所定のエラー処理（例えば、記録ができないことを示すメッセージを、図１の表示部２９に表示させる等の処理）を実行する。
【０１４５】
エディットリスト制御部７８は、例えば操作内容検出部７１から新規のエディットリストを作成するための各種指示が提供された場合等において、その指示に従って、エディットリストを作成する。この場合、エディットリスト制御部７８は、編集対象となっているクリップに含まれるProxy信号の再生制御を行う。即ち、ユーザは、各クリップのProxy信号による映像（以下、Proxy映像と称する）を表示部２９（図１）等で確認しながら、操作部４２を操作することで、各素材の編集を行うことができる。この編集作業に対応して、エディットリストがエディットリスト制御部７８により生成される。そして、エディットリスト制御部７８は、光ディスク記録/再生部１８を制御して、新たに生成したエディットリストを光ディスク５１に書き込む。これにより、光ディスク５１のクリップルートディレクトリ(図４のEDTR)には、新たなエディットリストディレクトリが設けられることになる。
【０１４６】
また、エディットリスト制御部７８は、例えば操作内容検出部７１からエディットリストを更新するための各種指示が提供された場合等において、光ディスク記録/再生部１８を制御して、光ディスク５１に記録されている各エディットリストのうちの、更新対象のエディットリスト、即ち、その指示で特定されるエディットリストを読み出す。
【０１４７】
この場合、エディットリストは、上述したように、各エディットリストディレクトリ（図４の例では、E0001乃至E0004）に属する各ファイルにそれぞれ含められている。また、各ファイルの内容は、ディスク解析部７２により解析される。従って、エディットリスト制御部７８は、ディスク解析部７２の解析結果に基づいて、更新対象のエディットリストが含まれているエディットリストディレクトリを特定することができる。
【０１４８】
次に、エディットリスト制御部７８は、更新対象のエディットリストで指定されているクリップに含まれるProxy信号の再生制御を行う。即ち、ユーザは、各クリップのProxy映像を表示部２９等で確認しながら、操作部４２を操作することで、各種素材の編集結果の更新作業を行うことができる。この更新作業に対応して、エディットリスト制御部７８によりエディットリストが更新される。そして、エディットリスト制御部７８は、光ディスク記録/再生部１８を制御して、更新後のエディットリストを光ディスク５１に書き戻す。即ち、光ディスク５１において、更新対象のエディットリストディレクトリに含まれる各ファイルの内容が書き換えられることになる。
【０１４９】
なお、以上のエディットリスト制御部７８による一連の処理を、以下、エディットリスト作成/更新処理と称する。また、エディットリスト作成/更新処理に伴う、ユーザの操作部４２による各種指示をまとめて、以下、エディットリスト指示と称する。ただし、エディットリスト再生機能による再生を行うわせるための再生指示、即ち、所望のエディットリストに従った再生を行わせるための再生指示は、エディットリスト指示には含まれず、上述したように本線再生指示に含まれることに注意を要する。
【０１５０】
かかる図７の機能的構成を有するシステム制御部４１の処理の一例が、図８乃至図１０のフローチャートに示されている。
【０１５１】
本実施の形態では、例えば光ディスク５１が装着部（図示せず）に装着されると、図８のシステム制御部４１の処理が開始され、次のようなステップＳ１の処理が実行される。
【０１５２】
即ち、ステップＳ１において、ディスク解析部７２は、光ディスク５１がフォーマットされているか否かを判定する。
【０１５３】
ステップＳ１において、光ディスク５１がフォーマットされていないと判定された場合、その判定結果がディスク解析部７２からフォーマット制御部７４に通知されて、処理はステップＳ２に進む。ステップＳ２において、フォーマット制御部７４は、光ディスク５１を新規ディスクとしてフォーマットする。これにより、処理はステップＳ１に戻される。
【０１５４】
これに対して、ステップＳ１において、光ディスク５１がフォーマットされていると判定した場合、ディスク解析部７２は、ステップＳ３において、光ディスク５１は再生可能な方式のディスクであるか否かを判定する。
【０１５５】
ステップＳ３の判定基準は、特に限定されないが、光ディスク５１の記録内容が上述した図４乃至図６の内容である場合には、上述したように、インデックスファイル（INDEX.XML）に含まれる各クリップの方式（圧縮方式や信号方式等）が、自機種で対応している方式（図１の例では、圧縮方式がMPEG-long方式であって信号方式がHDである方式。または、圧縮方式がIMX/DVCAM方式であって信号方式がSDである方式）と一致している場合にはYESであると判定し、そうでない場合にはNOであると判定する、といった判定基準を採用することができる。
【０１５６】
ステップＳ３において、YESであると判定された場合、ステップＳ４において、図９に示されるような通常光ディスク処理が実行され、また、NOであると判定された場合、ステップＳ５において、図１０に示されるような簡易光ディスク処理が実行される。
【０１５７】
そこで、以下、最初に、図９のフローチャートを参照して、ステップＳ４の通常光ディスク処理を説明し、その後、図１０のフローチャートを参照して、ステップＳ５の簡易光ディスク処理を説明する。
【０１５８】
ステップＳ３において、光ディスク５１は再生可能な方式のディスクであると判定された場合、その判定結果がディスク解析部７２から操作内容検出部７１に通知されて、ステップＳ４の処理、即ち、図９の通常光ディスク処理が実行される。
【０１５９】
図９のステップＳ２１において、操作内容検出部７１は、操作部４２の操作がなされたか否かを判定する。
【０１６０】
ステップＳ２１において、操作部４２の操作がなされていないと判定された場合、処理はステップＳ２１に戻され、操作部４２の操作がなされたか否かが再度判定される。即ち、ユーザが操作部４２の操作を行うまでの間、ステップＳ２１の判定処理が繰り返し実行されて、通常光ディスク処理が待機状態となる。
【０１６１】
その後、ユーザが操作部４２に対して何らかの操作を行うと、ステップＳ２１において操作がなされたと判定されて、処理はステップＳ２２に進む。
【０１６２】
ステップＳ２２において、操作内容検出部７１は、本線再生指示（上述したように、通常再生機能、JOG/VAR再生機能、または、エディットリスト再生機能による再生指示）であるか否かを判定する。
【０１６３】
ステップＳ２２において、本線再生指示であると判定された場合、その本線再生指示が操作内容検出部７１から再生制御部７６に通知されて、処理はステップＳ２３に進む。ステップＳ２３において、再生制御部７６は、光ディスク５１に記録されている各クリップのうちの、再生対象の本線映像信号（本線音声信号）の再生を行う。これにより、処理はステップＳ２１に戻され、それ以降の処理が繰り返される。
【０１６４】
これに対して、ステップＳ２２において、本線再生指示ではないと判定した場合、操作内容検出部７１は、ステップＳ２４において、プロキシ再生指示（上述したように、サーチ機能またはサムネイル機能による再生指示）であるか否かを判定する。
【０１６５】
ステップＳ２４において、プロキシ再生指示であると判定された場合、そのプロキシ再生指示が操作内容検出部７１から再生制御部７６に通知されて、処理はステップＳ２５に進む。ステップＳ２５において、再生制御部７６は、光ディスク５１に記録されている各クリップのうちの、再生対象のクリップのProxy信号の再生を行う。これにより、処理はステップＳ２１に戻され、それ以降の処理が繰り返される。
【０１６６】
これに対して、ステップＳ２４において、プロキシ再生指示ではないと判定した場合、操作内容検出部７１は、ステップＳ６において、記録指示であるか否かを判定する。
【０１６７】
ステップＳ２６において、記録指示であると判定された場合、その記録指示が操作内容検出部７１から記録制御部７７に通知されて、処理はステップＳ２７に進む。ステップＳ２７において、記録制御部７７は、本線映像信号（本線音声信号）とProxy信号とを新たなクリップとして光ディスク５１に記録する。これにより、処理はステップＳ２１に戻され、それ以降の処理が繰り返される。
【０１６８】
これに対して、ステップＳ２６において、記録指示ではないと判定した場合、操作内容検出部７１は、ステップＳ２８において、エディットリスト指示であるか否かを判定する。
【０１６９】
ステップＳ２８において、エディットリスト指示であると判定された場合、そのエディットリスト指示が操作内容検出部７１からエディットリスト制御部７８に通知されて、処理はステップＳ２９に進む。ステップＳ２９において、エディットリスト制御部７８は、上述したエディットリスト作成/更新処理を行う。これにより、処理はステップＳ２１に戻され、それ以降の処理が繰り返される。
【０１７０】
これに対して、ステップＳ２８において、エディットリスト指示ではないと判定した場合、操作内容検出部７１は、ステップＳ３０において、イジェクト指示であるか否かを判定する。
【０１７１】
ステップＳ３０において、イジェクト指示ではないと判定された場合、処理はステップＳ２１に戻され、それ以降の処理が繰り返される。
【０１７２】
これに対して、ステップＳ３０において、イジェクト指示であると判定された場合、そのイジェクト指示が操作内容検出部７１からイジェクト制御部７５に通知されて、処理はステップＳ３１に進む。ステップＳ３１において、イジェクト制御部７５は、光ディスク５１をイジェクトする。これにより、通常光ディスク処理は終了し、即ち、図８のステップＳ４の処理は終了し、システム制御部４１の処理全体も終了となる。
【０１７３】
このような図９の通常光ディスク処理に対して、図１０の簡易光ディスク処理は次のようになる。
【０１７４】
即ち、図８のステップＳ３において、光ディスク５１は再生不可能な方式のディスクであると判定された場合、図１０の簡易光ディスク処理が実行される。
【０１７５】
図１０のステップＳ４１において、ディスク解析部７２は、Proxy信号は読み出し可能か否かを判定する。
【０１７６】
ステップＳ４１において、Proxy信号は読み出し不可能であると判定された場合、その判定結果がディスク解析部７２からイジェクト制御部７５に通知されて、処理はステップＳ５３に進む。ステップＳ５３において、イジェクト制御部７５は、光ディスク５１をイジェクトする。これにより、簡易光ディスク処理は終了し、即ち、図８のステップＳ５の処理は終了し、システム制御部４１の処理全体も終了となる。
【０１７７】
これに対して、ステップＳ４１において、Proxy信号は読み出し可能であると判定された場合、その判定結果がディスク解析部７２からワーニング表示制御部７３と操作内容検出部７１とに通知されて、処理はステップＳ４２に進む。
【０１７８】
ステップＳ４２において、ワーニング表示制御部７３は、方式が違うことのワーニング表示を、ワーニング表示部４３に行わせる。
【０１７９】
ステップＳ４３において、操作内容検出部７１は、操作部４２の操作がなされたか否かを判定する。
【０１８０】
ステップＳ４３において、操作部４２の操作がなされていないと判定された場合、処理はステップＳ４３に戻され、操作部４２の操作がなされたか否かが再度判定される。即ち、ユーザが操作部４２の操作を行うまでの間、ステップＳ４３の判定処理が繰り返し実行されて、簡易光ディスク処理が待機状態となる。
【０１８１】
その後、ユーザが操作部４２に対して何らかの操作を行うと、ステップＳ４３において操作がなされたと判定されて、処理はステップＳ４４に進む。
【０１８２】
ステップＳ４４において、操作内容検出部７１は、本線再生指示（上述したように、通常再生機能、JOG/VAR再生機能、または、エディットリスト再生機能による再生指示）であるか否かを判定する。
【０１８３】
ステップＳ４４において、本線再生指示であると判定された場合、その本線再生指示が操作内容検出部７１から再生制御部７６に通知されて、処理はステップＳ４５に進む。ステップＳ４５において、再生制御部７６は、光ディスク５１に記録されている各クリップのうちの、Proxy信号の再生を行う。これにより、処理はステップＳ４３に戻され、それ以降の処理が繰り返される。
【０１８４】
即ち、簡易光ディスク処理とは、上述したように、光ディスク５１に記録されている本線映像信号の方式が、自機種にとって再生不可能な方式の場合に実行される処理である。換言すると、本線再生指示がなされても、本線映像信号の再生ができない場合に実行される処理である。このような場合、従来では、何の再生も行うことができず、光ディスクがイジェクトされてしまう、という上述した問題が発生していた。そこで、かかる問題を解決すべく、本実施の形態では、このステップＳ４５において、再生制御部７６が、機種により再生できない方式を採用している本線映像信号の代わりに、機種によらず共通方式を採用しているProxy信号を用いて、クリップ（コンテンツ）の再生を行うようにしたのである。
【０１８５】
また、ステップＳ４４において、本線再生指示ではないと判定した場合、操作内容検出部７１は、ステップＳ４６において、プロキシ再生指示（上述したように、サーチ機能またはサムネイル機能による再生指示）であるか否かを判定する。
【０１８６】
ステップＳ４６において、プロキシ再生指示であると判定された場合、そのプロキシ再生指示が操作内容検出部７１から再生制御部７６に通知されて、処理はステップＳ４７に進む。ステップＳ４７において、再生制御部７６は、光ディスク５１に記録されている各クリップのうちの、再生対象のクリップのProxy信号の再生を行う。これにより、処理はステップＳ４３に戻され、それ以降の処理が繰り返される。
【０１８７】
これに対して、ステップＳ４６において、プロキシ再生指示ではないと判定した場合、操作内容検出部７１は、ステップＳ４８において、記録指示であるか否かを判定する。
【０１８８】
ステップＳ４８において、記録指示であると判定された場合、その記録指示が操作内容検出部７１から記録制御部７７に通知されて、処理はステップＳ４９に進む。ステップＳ４９において、記録制御部７７は、記録禁止であるため、所定のエラー処理を実行する。これにより、処理はステップＳ４３に戻され、それ以降の処理が繰り返される。
【０１８９】
即ち、簡易光ディスク処理とは、上述したように、光ディスク５１に記録されている本線映像信号の方式が、自機種にとって再生不可能な方式の場合に実行される処理である。換言すると、光ディスク５１に記録されている本線映像信号の方式と、自機種が本線映像信号を記録するときの方式とが異なる場合の処理である。このような場合、ステップＳ４９の処理で、新たなクリップを記録してしまうと、その新たなクリップの本線映像信号の方式と、他のクリップ（既に記録されていたクリップ）の本線映像信号の方式とが異なってしまう、という問題が発生してしまう。そこで、このような問題の発生を防止すべく、上述したように、記録禁止がなされるのである。従って、ステップＳ４９の処理では、所定のエラー処理が実行されることになる。
【０１９０】
また、ステップＳ４８において、記録指示ではないと判定した場合、操作内容検出部７１は、ステップＳ５０において、エディットリスト指示であるか否かを判定する。
【０１９１】
ステップＳ５０において、エディットリスト指示であると判定された場合、そのエディットリスト指示が操作内容検出部７１からエディットリスト制御部７８に通知されて、処理はステップＳ５１に進む。ステップＳ５１において、エディットリスト制御部７８は、上述したエディットリスト作成/更新処理を行う。これにより、処理はステップＳ４３に戻され、それ以降の処理が繰り返される。
【０１９２】
これに対して、ステップＳ５０において、エディットリスト指示ではないと判定した場合、操作内容検出部７１は、ステップＳ５２において、イジェクト指示であるか否かを判定する。
【０１９３】
ステップＳ５２において、イジェクト指示ではないと判定された場合、処理はステップＳ４３に戻され、それ以降の処理が繰り返される。
【０１９４】
これに対して、ステップＳ５２において、イジェクト指示であると判定された場合、そのイジェクト指示が操作内容検出部７１からイジェクト制御部７５に通知されて、処理はステップＳ５３に進む。ステップ５３において、イジェクト制御部７５は、光ディスク５１をイジェクトする。これにより、簡易光ディスク処理は終了し、即ち、図８のステップＳ５の処理は終了し、システム制御部４１の処理全体も終了となる。
【０１９５】
以上、本発明が適用された信号処理装置として光ディスク記録再生装置１を例に説明してきたが、本発明は、上述した光ディスク記録再生装置１のみならず、様々な装置に適用可能である。具体的には例えば、本発明が適用された装置としての各種実施の形態が図１１と図１２に示されている。
【０１９６】
図１１の例の光ディスク記録再生装置１１１は、図１の例の光ディスク記録再生装置１のうちのSD信号についての記録再生機能を実現するためのブロックからなる装置、逆に言えば、図１の例の光ディスク記録再生装置１のうちのHD信号についての記録再生機能を実現するためのブロックが省略された装置である。即ち、図１１は、SD信号専用の光ディスク記録再生装置１１１の構成例を示している。なお、各ブロックについては、図１を用いて説明済みであるので、それらの説明については省略する。また、図１１の例の光ディスク記録再生装置１１１にも、図１と同様のシステム制御部４１が搭載されている。かかるシステム制御部４１について、機能的構成例は図７を参照して説明済みであり、また、その処理例は図８乃至図１０を参照して説明済みであるので、それらの説明については省略する。
【０１９７】
これに対して、図１２の例の光ディスク記録再生装置１１２は、図１の例の光ディスク記録再生装置１のうちのHD信号についての記録再生機能を実現するためのブロックからなる装置、逆に言えば、図１の例の光ディスク記録再生装置１のうちのSD信号についての記録再生機能を実現するためのブロックが省略された装置である。即ち、図１２は、HD信号専用の光ディスク記録再生装置１１２の構成例を示している。なお、各ブロックについては、図１を用いて説明済みであるので、それらの説明については省略する。また、図１２の例の光ディスク記録再生装置１１２には、図１と同様のシステム制御部４１が搭載されている。かかるシステム制御部４１について、機能的構成例は図７を参照して説明済みであり、また、その処理例は図８乃至図１０を参照して説明済みであるので、それらの説明については省略する。
【０１９８】
図１１と図１２とを比較するに、図１１の例の光ディスク記録再生装置１１１で採用されている本線映像信号の方式は、圧縮方式がIMX/DVCAM方式であって信号方式がSD方式である。これに対して、図１２の例の光ディスク記録再生装置１１２で採用されている本線映像信号の方式は、圧縮方式がMPEG-long方式であって信号方式がHD方式である。従って、図１１の例の光ディスク記録再生装置１１１により光ディスク５１に記録されたSD本線映像信号は、図１２の例の光ディスク記録再生装置１１２では再生できない。一方、図１２の例の光ディスク記録再生装置１１２により光ディスク５１に記録されたHD本線映像信号は、図１１の例の光ディスク記録再生装置１１１では再生できない。
【０１９９】
しかしながら、図１１の例の光ディスク記録再生装置１１１で採用されているProxy信号の方式と、図１２の例の光ディスク記録再生装置１１２で採用されているProxy信号の方式とは、同一の方式である。また、図１１の例の光ディスク記録再生装置１１１も図１２の例の光ディスク記録再生装置１１２もシステム制御部４１を有しているので、上述した図８乃至図１０のフローチャートに従った処理を実行できる。
【０２００】
このため、図１１の例の光ディスク記録再生装置１１１によりクリップが記録された光ディスク５１が、図１２の例の光ディスク記録再生装置１１２に装着された場合であっても、図１２の例の光ディスク記録再生装置１１２は、その光ディスク５１に記録されたクリップをProxy信号で再生することが可能になる。一方、図１２の例の光ディスク記録再生装置１１２によりクリップが記録された光ディスク５１が、図１１の例の光ディスク記録再生装置１１１に装着された場合であっても、図１１の例の光ディスク記録再生装置１１１は、その光ディスク５１に記録されたクリップをProxy信号で再生することが可能になる。
【０２０１】
また、図１の例の光ディスク記録再生装置１のSD本線映像圧縮部１６を用いてクリップが記録された光ディスク５１が、図１２の例の光ディスク記録再生装置１１２に装着された場合や、図１の例の光ディスク記録再生装置１のHD本線映像圧縮部１３を用いてクリップが記録された光ディスク５１が、図１１の例の光ディスク記録再生装置１１１に装着された場合にも、以上の内容と同様に、その光ディスク５１に記録されたクリップの再生はProxy信号の再生として可能になる。
【０２０２】
即ち、上述した図１、図１１、および図１２の例では、本線映像信号とProxy信号とが光ディスク５１に同時に記録される。この場合、本線映像信号の方式（圧縮方式や信号方式）は異なる場合もあるが、Proxy信号の方式は共通となっている。従って、このような光ディスク５１の再生時には、方式が異なり本線映像信号が再生できない場合もでてくるが、このような場合であっても、自動的にProxy信号が再生される。
【０２０３】
これにより、従来では再生できなかったフォーマットの光ディスク５１でも、Proxy信号による記録内容の確認ができるようになる。また、Proxy信号に基づくエディットリストを作成/更新することができるので、ユーザにとってはラフな編集作業をすることができるようになる。なお、ここでいう「ラフな編集作業」とは、例えば編集点等を時間軸上の位置で示す時間情報を作成する作業等、具体的には例えば、タイムコードエディットリストを作成する作業等をいう。より具体的には例えば、編集者は、SD方式の機材（光ディスク記録再生装置）を利用したとしても（HD方式の機材を所有していなくても）、HD方式で記録された光ディスク５１についてのラフな編集作業ができることになり、その結果、オフライン編集に使用できるなど、所有する機器の有効活用（例えばHD方式の機材を新規購入せずともよい等）が可能になる。
【０２０４】
さらに、緊急なニュース映像がクリップとして光ディスク５１に記録されている場合に、オンエアする装置（再生装置）の再生方式が、その光ディスク５１の本線映像信号の方式と異なっていたとしても、Proxy信号を用いてオンエアすることもできる。具体的には例えば、所定の放送局の報道関係の部署におけるオンエアする装置として、本発明の装置を利用することで、他局で異なる方式で光ディスク５１に撮影された映像（クリップ）であっても、その映像が災害等の緊急時の映像のときは、Proxy信号によるオンエアができるようになる。
【０２０５】
さらにまた、例えば、複数の光ディスク５１を保管する映像資料保管庫などにおいて、一つの方式の本発明の再生装置を用意するだけで（例えばSD専用の再生装置を１台用意するだけで）、簡易的に記録内容を確認したい者は、その再生装置を利用して、補完されている全ての光ディスク５１の記録内容を確認できるようになる。
【０２０６】
このように、本発明は、光ディスク記録再生装置の利用価値を大きく高めることができる、という効果を奏することができる。
【０２０７】
さらに、コンテンツ(本線信号やProxy信号を含むクリップ等)の記録先は、上述した例では光ディスク５１（図１等）とされたが、上述した例に特に限定されず、例えば、後述する図１３のリムーバブルメディア３１１や、記憶部３０８を構成するハードディスクなどの別の記録媒体でも構わない。
【０２０８】
また、Proxy信号は、機種によらず同一フォーマット（同一方式）であれば足り、その生成手法（以下、Proxy信号生成手法と称する）は上述した例に特に限定されない。
【０２０９】
即ち、上述した例では、SD信号からProxy信号を生成することが前提とされ、本線信号がHD信号の場合には、そのHD信号をダウンコンバートしてSD信号に変換した後、そのSD信号からProxy信号を生成する、といった手法（以下、ダウンコンバートProxy信号生成手法と称する）が適用されていた。
【０２１０】
しかしながら、Proxy信号生成手法は、ダウンコンバートProxy信号生成手法に特に限定されない。例えば、ダウンコンバートProxy信号生成手法とは逆の手法、即ち、HD信号からProxy信号を生成することを前提とし、本線信号がSD信号の場合には、そのSD信号をアップコンバートさせてHD信号に変換させた後、そのHD信号からProxy信号を生成する、といった手法（以下、アップコンバートProxy信号生成手法と称する）を適用することも可能である。
【０２１１】
さらに言えば、本発明は、上述した画像信号や音声信号のみならず、記録媒体に記録可能な各種信号に対しても適用可能である。この場合、本発明が適用される信号処理装置は、記録媒体に記録された信号の形態に応じた信号処理を実行可能であれば足りる。
【０２１２】
以上まとめると、結局、本発明が適用される信号処理装置とは、次のような機能を有していれば足り、上述した例に特に限定されず、様々な実施の形態を取ることが可能である。
【０２１３】
別の信号処理装置により所定の情報に基づいてそれぞれ生成されて記録媒体に記録された、装置毎で採用可能な複数方式のうちの前記別の信号処理装置で採用された方式による第１の信号と、装置に依存しない共通の方式の第２の信号とのうちの少なくとも一方を、前記記録媒体から読み出して処理を施す信号処理装置であって、
提供された信号を利用して第１の処理または第２の処理を実行する処理実行機能と、
前記記録媒体に記録されている前記第１の信号の方式が、自装置で採用された方式であるか否かを判定する判定機能と、
前記判定機能の実現により自装置で採用された方式であると判定された場合、前記第１の処理に利用される信号として前記第１の信号を、前記第２の処理に利用される信号として前記第２の信号を、それぞれ前記記録媒体から読み出して前記処理実行機能に提供することを制御し、前記判定機能の実現により自装置で採用された方式ではないと判定された場合、前記第１の処理および前記第２の処理の何れにも利用される信号として前記第２の信号を、前記記録媒体から読み出して前記処理実行機能に提供することを制御する制御機能と
を備える信号処理装置であれば足り、その実施の形態は特に限定されない。
【０２１４】
さらに、上述した各機能を実現するための一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２１５】
図１３は、上述した一連の処理をプログラムにより実行するパーソナルコンピュータの構成の例を示すブロック図である。換言すると、上述した光ディスク記録再生装置の全体または一部分（例えば上述したシステム制御部４１等）は、図１３の構成のパーソナルコンピュータとして構成してもよい。
【０２１６】
図１３において、CPU（Central Processing Unit）３０１は、ROM（Read Only Memory）３０２、または記憶部３０８に記憶されているプログラムに従って各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０２１７】
CPU３０１にはまた、バス３０４を介して入出力インタフェース３０５が接続されている。入出力インタフェース３０５には、キーボード、マウス、マイクロホンなどよりなる入力部３０６、ディスプレイ、スピーカなどよりなる出力部３０７が接続されている。CPU３０１は、入力部３０６から入力される指令に対応して各種の処理を実行する。そして、CPU３０１は、処理の結果を出力部３０７に出力する。
【０２１８】
入出力インタフェース３０５に接続されている記憶部３０８は、例えばハードディスクからなり、CPU３０１が実行するプログラムや各種のデータを記憶する。通信部３０９は、インターネットやローカルエリアネットワークなどのネットワークを介して外部の装置と通信する。
【０２１９】
また、通信部３０９を介してプログラムを取得し、記憶部３０８に記憶してもよい。
【０２２０】
入出力インタフェース３０５に接続されているドライブ３１０は、磁気ディスク、光ディスク、光磁気ディスク、或いは半導体メモリなどのリムーバブルメディア３１１が装着されたとき、それらを駆動し、そこに記録されているプログラムやデータなどを取得する。取得されたプログラムやデータは、必要に応じて記憶部３０８に転送され、記憶される。
【０２２１】
また、ドライブ３１０は、リムーバブルメディア３１１が装着されたとき、それらを駆動し、そこにデータなどを記録することもできる。
【０２２２】
コンピュータにインストールされ、コンピュータによって実行可能な状態とされるプログラムを格納するプログラム記録媒体は、図１３に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア３１１、または、プログラムが一時的もしくは永続的に格納されるROM３０２や、記憶部３０８を構成するハードディスクなどにより構成される。プログラム記録媒体へのプログラムの格納は、必要に応じてルータ、モデムなどのインタフェースである通信部３０９を介して、ローカルエリアネットワーク、インターネット、デジタル衛星放送といった、有線または無線の通信媒体を利用して行われる。
【０２２３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２２４】
また、本明細書において、システムとは、複数の装置により構成される装置全体を表すものである。
【図面の簡単な説明】
【０２２５】
【図１】本発明を適用した光ディスク記録再生装置の構成例を示すブロック図である。
【図２】図１の光ディスク記録再生装置のProxy映像圧縮部の詳細な構成例を示すブロック図である。
【図３】図１の光ディスク記録再生装置のProxy映像伸張部の詳細な構成例を示すブロック図である。
【図４】図１の光ディスクに記録されたファイルのディレクトリ構造の例を示す模式図である。
【図５】図１の光ディスクに記録されたファイルのディレクトリ構造の例を示す模式図である。
【図６】図１の光ディスクに記録されたファイルのディレクトリ構造の例を示す模式図である。
【図７】図１のシステム制御部の機能的構成例を示す機能ブロック図である。
【図８】図７のシステム制御部の処理例を説明するフローチャートである。
【図９】図８のステップＳ４の通常光ディスク処理の詳細例を説明するフローチャートである。
【図１０】図８のステップＳ５の簡易光ディスク処理の詳細例を説明するフローチャートである。
【図１１】本発明を適用した光ディスク記録再生装置の別の構成例を示すブロック図である。
【図１２】本発明を適用した光ディスク記録再生装置のさらに別の構成例を示すブロック図である。
【図１３】本発明が適用されるプログラムを実行するパーソナルコンピュータの構成例を示すブロック図である。
【符号の説明】
【０２２６】
１  光ディスク記録再生装置，  １３  HD本線映像圧縮部，  １６  SD本線映像圧縮部，  １８  光ディスク記録／再生部，  １９  ダウンコンバート部，  ２１  Proxy映像圧縮部，  ２２  ネットワーク接続部，  ２５  SD本線映像伸張部，  ２９  表示部，  ３０  HD本線映像伸張部，  ３５  アップコンバート部，  ４１  システム制御部，  ４２  操作部，  ４３  ワーニング表示部，  ７１  操作内容検出部，  ７２  ディスク解析部，  ７３  ワーニング表示制御部，  ７４  フォーマット制御部，  ７５  イジェクト制御部，  ７６  再生制御部，  ７７  記録制御部，  ７８  エディットリスト制御部，  １１１，１１２  光ディスク記録再生装置，  ３０１  CPU，  ３０２  ROM，  ３０８  記憶部，  ３１１  リムーバブルメディア
【図１】
2007235372.tif 000003
【図２】
2007235372.tif 000004
【図３】
2007235372.tif 000005
【図４】
2007235372.tif 000006
【図５】
2007235372.tif 000007
【図６】
2007235372.tif 000008
【図７】
2007235372.tif 000009
【図８】
2007235372.tif 000010
【図９】
2007235372.tif 000011
【図１０】
2007235372.tif 000012
【図１１】
2007235372.tif 000013
【図１２】
2007235372.tif 000014
【図１３】
2007235372.tif 000015